(57)【要約】【課題】特殊なコードを利用することなく、お酒に関連するレシピ情報を提供することができるレシピ情報提供システム及びレシピ情報提供方法の提供。【解決手段】携帯端末装置と制御装置とが通信ネットワークで接続されたレシピ情報提供システムであって、前記制御装置は、酒に関する情報を記憶する第１データベースと、混合酒のレシピ情報を記憶する第２データベースと、前記第１データベースを参照して、前記携帯端末装置から提供された情報に合致する酒を検索し、前記第２データベースを参照して、検索した酒を含む混合酒のレシピ情報を検索し、当該レシピ情報を前記携帯端末装置に提供する制御手段と、を少なくとも備える。【選択図】図２
2011028505.tif 000002
【特許請求の範囲】
【請求項１】
携帯端末装置と制御装置とが通信ネットワークで接続されたレシピ情報提供システムであって、
前記制御装置は、
酒に関する情報を記憶する第１データベースと、
混合酒のレシピ情報を記憶する第２データベースと、
前記第１データベースを参照して、前記携帯端末装置から提供された情報に合致する酒を検索し、前記第２データベースを参照して、検索した酒を含む混合酒のレシピ情報を検索し、当該レシピ情報を前記携帯端末装置に提供する制御手段と、
を少なくとも備えることを特徴とするレシピ情報提供システム。
【請求項２】
前記携帯端末装置はカメラ機能を備え、
前記制御装置は、
酒のラベル画像を記憶する第３データベースを更に備え、
前記制御手段は、前記第３データベースを参照して、前記携帯端末装置のカメラ機能で撮影された酒のラベル画像に合致する酒を検索する、
ことを特徴とする請求項１に記載のレシピ情報提供システム。
【請求項３】
前記制御装置は、
各ユーザが保有する酒の情報を記憶する第４データベースを更に備え、
前記制御手段は、前記第２データベース及び前記第４データベースを参照して、検索した酒と前記携帯端末装置のユーザが保有する少なくとも１つの酒とを含む混合酒のレシピ情報を検索する、
ことを特徴とする請求項１又は２に記載のレシピ情報提供システム。
【請求項４】
携帯端末装置と制御装置とが通信ネットワークで接続されたシステムにおけるレシピ情報提供方法であって、
前記制御装置に、
酒に関する情報を記憶する第１データベースと、
混合酒のレシピ情報を記憶する第２データベースと、を設け、
前記第１データベースを参照して、前記携帯端末装置から提供された情報に合致する酒を検索する第１の処理と、
前記第２データベースを参照して、検索した酒を含む混合酒のレシピ情報を検索する第２の処理と、
当該レシピ情報を前記携帯端末装置に提供する第３の処理と、を少なくとも実行する、
ことを特徴とするレシピ情報提供方法。
【請求項５】
前記携帯端末装置はカメラ機能を備え、
前記制御装置に、
酒のラベル画像を記憶する第３データベースを更に設け、
前記第１の処理では、前記第３データベースを参照して、前記携帯端末装置のカメラ機能で撮影された酒のラベル画像に合致する酒を検索する、
ことを特徴とする請求項４に記載のレシピ情報提供方法。
【請求項６】
前記制御装置に、
各ユーザが保有する酒の情報を記憶する第４データベースを更に設け、
前記第２の処理では、前記第２データベース及び前記第４データベースを参照して、検索した酒と前記携帯端末装置のユーザが保有する少なくとも１つの酒とを含む混合酒のレシピ情報を検索する、
ことを特徴とする請求項４又は５に記載のレシピ情報提供方法。
【発明の詳細な説明】
【技術分野】
【０００１】
本発明は、レシピ情報提供システム及びレシピ情報提供方法に関し、特に、携帯端末装置を用いてお酒に関するレシピを提供するレシピ情報提供システム及びレシピ情報提供方法に関する。
【背景技術】
【０００２】
カクテルは様々なお酒を混ぜ合わせて１つのものを作る。混ぜ合わせるお酒の種類や分量は多種多様であり、全てのレシピを記憶することは困難である。そのため、作成したいカクテルがあった場合、カクテル作成希望者はどのようなお酒を購入すればよいのか店頭で悩むことが多々ある。また、カクテル作成初心者であればどのお酒が目的の種類のお酒か判断を誤る可能性もある。
【０００３】
また、手持ちのお酒に加えて新たにお酒を購入することで何らかのカクテルを作成したい場合、購入したお酒でどのようなカクテルが作成可能か分からず、本当に目的のお酒を購入してもよいか悩むことになる。また、所持しているお酒の種類が多くなると、新たにお酒を購入してもすでに所持していたといった失敗も考えられる。
【０００４】
このような背景から、携帯電話機、ＰＨＳ（Personal Handyphone System）、ＰＤＡ（Personal Data Assistance，Personal Digital Assistants：個人向け携帯型情報通信機器）等の携帯端末装置にてカクテルのレシピを簡単に参照したり、また所持しているお酒まで考慮してお酒の購入の支援を可能とする手法の提案が望まれている。
【０００５】
上記携帯端末を利用して情報を提示する技術として、例えば、下記特許文献１には、カメラ付き携帯型端末で、商品である食材に対応して表示されているカラーコードを撮影することで食材を特定し、簡単にレシピを表示するレシピ情報提供システムが開示されている。
【０００６】
また、下記特許文献２には、消費者からの情報要求を磁気ディスク装置に記憶し、情報要求されたワイン情報を磁気ディスク装置から取得し、ワイン情報を消費者に応答する。そして、磁気ディスク装置からこれまでに消費者からなされた情報要求を取得し、情報要求を消費者の属性別に集計して統計情報を生成し、その統計情報をワインのマーケティング情報としてワイン販売店に配信するワイン情報検索システムが開示されている。
【先行技術文献】
【特許文献】
【０００７】
【特許文献１】登実第００３１２８９９２号
【特許文献２】特開２００８−１１２２９５号公報
【発明の概要】
【発明が解決しようとする課題】
【０００８】
しかしながら、特許文献１では、全ての食材にカラーコードを付与する必要があり、既存の販売システムに簡単に導入することができないという問題がある。また、特許文献２では、ワインに関する情報を取得することはできるが、取得できる情報はワイン単体の情報であり、他のお酒まで考慮したレシピ情報ではないため、カクテルを作成するユーザに適した情報を提示することができないという問題がある。
【０００９】
本発明は、上記問題点に鑑みてなされたものであって、その主たる目的は、特殊なコードを利用することなく、お酒に関連するレシピ情報を提供することができるレシピ情報提供システム及びレシピ情報提供方法を提供することにある。
【課題を解決するための手段】
【００１０】
上記目的を達成するため、本発明は、携帯端末装置と制御装置とが通信ネットワークで接続されたレシピ情報提供システムであって、前記制御装置は、酒に関する情報を記憶する第１データベースと、混合酒のレシピ情報を記憶する第２データベースと、前記第１データベースを参照して、前記携帯端末装置から提供された情報に合致する酒を検索し、前記第２データベースを参照して、検索した酒を含む混合酒のレシピ情報を検索し、当該レシピ情報を前記携帯端末装置に提供する制御手段と、を少なくとも備えるものである。
【発明の効果】
【００１１】
本発明のレシピ情報提供システム及びレシピ情報提供方法によれば、利用者は店頭にて携帯端末装置を利用してシステムへアクセスすることで、お酒の名前からレシピ情報を取得することができる。またカメラ付携帯端末装置を利用しお酒のラベルを入力することでお酒を特定することができるため、利用者がシステムへお酒情報を入力する際の手間を大幅に省くことができる。
【００１２】
また、事前に所持しているお酒をシステムのデータベースへユーザ情報として保存しておくことで、利用者がお酒を購入する際すでに購入済みかどうかを簡単に問い合わせすることができ、またあるお酒を追加購入する場合、所持するお酒を含めて作成可能な混合酒のレシピ情報を取得することができる。
【００１３】
また、本発明はお酒の情報取得にお酒の瓶の貼られているラベルを利用しており、二次元バーコードやＩＣタグをお酒の瓶に付与する必要がないため、サービス提供側は容易にレシピ情報提供システムを導入することができる。
【図面の簡単な説明】
【００１４】
【図１】本発明の一実施形態に係るレシピ情報提供システムの構成を模式的に示す図である。
【図２】本発明の一実施例に係るレシピ情報提供システムの構成の要部を示すブロック図である。
【図３】本発明の一実施例に係るレシピ情報提供システムの動作（レシピ検索時の動作）を示すフローチャート図である。
【図４】本発明の一実施例に係るレシピ情報提供システムの動作（お酒の情報確認時の動作）を示すフローチャート図である。
【図５】本発明の一実施例に係るレシピ情報提供システムの動作（お酒を保存する動作）を示すフローチャート図である。
【図６】本発明の一実施例に係るレシピ情報提供システムの動作（お酒の所持有無の確認動作）を示すフローチャート図である。
【図７】本発明の一実施例に係るレシピ情報提供システムの動作（所持しているお酒を含むレシピ情報の表示動作）を示すフローチャート図である。
【発明を実施するための形態】
【００１５】
背景技術で示したように、携帯端末装置等にてカクテルのレシピを簡単に参照したり、また所持しているお酒を考慮してお酒の購入の支援を可能とする手法の提案が望まれている。しかしながら、従来は、全ての食材にカラーコードを付与する必要があり、既存の販売システムに簡単に導入することができないという問題や、他のお酒まで考慮したレシピ情報を提示することができないという問題があった。
【００１６】
そこで、本発明の一実施形態に係るレシピ情報提供システムでは、図１に示すように、カクテルのレシピをデータベースとして保持する。またそのデータベースへは、カクテルの名前を検索キーワードとしてそのレシピを検索する方法と、逆にお酒を数種類指定し、それらのお酒から作成可能なカクテルの名前やレシピを検索する方法の２種類の検索方法を提供する。また本システムは、店頭での利用も想定し携帯端末装置からのアクセスを可能とする。
【００１７】
このように、本システムのデータベースにはお酒のラベルの画像とそのお酒の情報がマッピングして保存済みであるため、お酒のラベルの画像情報からお酒の詳細情報を取得することが可能である。また逆に、お酒の名前からお酒のラベルの画像情報を取得することが可能である。
【００１８】
また、本システムでは利用者ごとに所持しているお酒の種類、本数をユーザ情報として保存可能であるため、利用者は店頭にて携帯端末装置を利用してシステムへアクセスし、お酒の名前からカクテルのレシピ情報を取得することが可能である。
【００１９】
また、携帯端末装置のカメラ機能を用いて購入しようとしているお酒のラベルを撮影しシステムへ入力することで、購入しようとしているお酒が目的の種類のお酒かどうかが判断可能となる。
【００２０】
また、事前に所持しているお酒をシステムのデータベースへユーザ情報として保存しておくことで、購入しようとしたお酒の重複確認や、またあるお酒を追加購入した場合どのような別のカクテルが作成可能かも店頭のその場で確認可能である。
【００２１】
また、目的のお酒のラベルの画像情報を参照できるため、店頭に並んでいる数多くのお酒から１つのお酒を探し出すための支援が可能である。
【００２２】
また、本発明はお酒の情報取得にお酒の瓶の貼られているラベルを利用しており二次元バーコードやＩＣタグをお酒の瓶に付与する必要がないため、サービス提供者側も本システムを容易に導入可能である。
【実施例】
【００２３】
上記した本発明の実施の形態についてさらに詳細に説明すべく、本発明の一実施例に係るレシピ情報提供システム及びレシピ情報提供方法について、図２乃至図７を参照して説明する。図２は、本実施例のレシピ情報提供システムの構成の要部を示すブロック図であり、図３乃至図７は、本実施例のレシピ情報提供システムの動作を示すフローチャート図である。
【００２４】
図２に示すように、本実施例のレシピ情報提供システムは、ユーザが所有する携帯電話機、ＰＨＳ、ＰＤＡ等の携帯端末装置１１と、洋酒や日本酒（以下、単にお酒と呼ぶ。）に関する情報を提供する制御装置１２と、お酒に関する情報を登録／更新するコンピュータ装置２１とを含み、これらはＬＡＮ（Local Area Network）やＷＡＮ（Wide Area Network）などの通信ネットワークを介して接続されている。そして、携帯端末装置１１から制御装置１２へアクセスを行う。携帯端末装置１１にはカメラ機能が搭載されており、お酒ラベルの撮影が可能であるものとする。
【００２５】
制御装置１２は、ＣＰＵ（Central Processing Unit）などの演算処理部、ＲＯＭ（Read Only Memory）やＲＡＭ（Random Access Memory）、ＨＤＤ（Hard Disk Drive）などの記憶部、ＮＩＣ（Network Interface Card）などの通信Ｉ／Ｆ部を含むコンピュータ装置であり、情報表示ＵＩ１３、情報登録ＵＩ２０、情報検索制御部１４、画像判定部１５、ラベル画像保存用メモリ１６、レシピ保存用メモリ１７、お酒情報保存用メモリ、ユーザ情報保存用メモリ１９が搭載される。
【００２６】
情報表示ＵＩ１３は、携帯端末装置１１からアクセスするための表示ＵＩ（User Interface）を提供する。この表示ＵＩは文字列によるレシピ、お酒情報、お酒ラベル画像の検索が可能である。またお酒ラベル画像による、お酒情報、当該お酒を含む混合酒（カクテル）のレシピの検索が可能である。また情報表示ＵＩ１３にてユーザＩＤ、パスワード、ユーザが保持しているお酒といったユーザ情報の登録を可能とする。これらのユーザ情報はユーザ情報保存用メモリ１９に保存される。
【００２７】
情報検索制御部１４では、情報表示ＵＩ１３からの検索要求を受け、ラベル画像保存用メモリ１６、レシピ保存用メモリ１７、お酒情報保存用メモリ１８から情報を抽出し、情報表示ＵＩ１３を通して携帯端末装置１１利用者へ検索結果の表示を行う。ラベル画像を入力として検索する場合は、画像判定部１５により入力されたラベル画像とラベル画像保存用メモリ１６に保存されているラベル画像とが一致するかどうかが判定される。
【００２８】
コンピュータ装置２１からは、情報登録ＵＩ２０を通して、ラベル画像をラベル画像保存用メモリ１６へ、レシピ情報をレシピ保存用メモリ１７へ、お酒情報をお酒情報保存用メモリ１８へ登録が可能である。情報登録ＵＩ２０は一般利用者ではなく、本システムの管理者が利用することを想定している。
【００２９】
なお、図２は、本実施例のレシピ情報提供システムの一例であり、制御装置１２は、携帯端末装置１１から送信されたお酒の情報に基づいて、そのお酒に関連する情報を提供可能な構成であればよい。
【００３０】
以下、上記構成のレシピ情報提供システムの動作について、図３乃至図７のフローチャート図を参照して説明する。
【００３１】
図３は、レシピ検索時の動作の流れを示したものである。
【００３２】
まず、本システム利用者は、携帯端末装置１１の操作部により開始操作（Ｓ３１）を行うと、携帯端末装置１１は制御装置１２にアクセスし、情報表示ＵＩ１３から提供される表示画面を表示部に表示し、利用者に画像入力かお酒の名称で入力するかを選択可能にする（Ｓ３２）。名称入力の場合は、名称を文字列で入力すると（Ｓ３３）、入力した文字列が制御装置１２に送信され、情報検索制御部１４は、お酒情報保存用メモリ１８を参照してその名称のお酒を検索し、検索結果の一覧を携帯端末装置１１の表示部に表示させる（Ｓ３５）。そして、利用者はその一覧から１種のお酒を決定する（Ｓ３６）。一方、画像入力の場合は、利用者は携帯端末装置１１のカメラ機能を用いてお酒のラベルを撮影し画像を制御装置１２に送信すると（Ｓ３４）、情報検索制御部１４は、ラベル画像を画像判定部１５に転送し、画像判定部１５は、転送されたラベル画像とラベル画像保存用メモリ１６に記憶したラベル画像とを比較し、ラベル画像が合致するお酒を決定する（Ｓ３６）。その後、追加入力する場合は（Ｓ３７のＹｅｓ）、再度お酒の決定操作を行う。お酒の追加が完了すると、情報検索制御部１４は、レシピ保存用メモリ１７を参照して入力されたお酒群が含まれる混合酒（カクテル）のレシピを検索し（Ｓ３８）、該当するレシピを携帯端末装置１１の表示部に一覧として表示させる（Ｓ３９）。
【００３３】
図４は、一種類のお酒の情報確認時の動作の流れを示したものである。
【００３４】
まず、本システム利用者は、携帯端末装置１１の操作部により開始操作（Ｓ４１）を行うと、画像入力かお酒の名称で入力するかが選択可能になる（Ｓ４２）。名称入力の場合、名称を文字列で入力すると（Ｓ４３）、その名称が含まれるお酒が検索され、一覧が表示されるため（Ｓ４５）、その一覧から利用者は１種のお酒を決定する（Ｓ４６）。一方、画像入力の場合は、利用者は携帯端末装置１１のカメラ機能を用いてお酒のラベルを撮影し画像を制御装置１２に送信すれば（Ｓ４４）、お酒が決定される（Ｓ４６）。そして、利用者がラベル表示を選択すれば（Ｓ４７のＹｅｓ）、決定したお酒のラベルが表示される。また、利用者がお酒情報表示を選択すれば（Ｓ４７のＮｏ）、お酒情報が表示される（Ｓ４９）。
【００３５】
図５は、利用者が所持するお酒を保存する動作の流れを示したものである。
【００３６】
まず、本システム利用者は、携帯端末装置１１の操作部により開始操作（Ｓ５１）を行うと、画像入力かお酒の名称で入力するかが選択可能になる（Ｓ５２）。名称入力の場合、名称を文字列で入力すると（Ｓ５３）、その名称が含まれるお酒が検索され、一覧が表示されるため（Ｓ５５）、その一覧から利用者は１種類のお酒を決定すれば、そのお酒が所持するお酒として登録される（Ｓ５６）。一方、画像入力の場合は、利用者は携帯端末装置１１のカメラ機能を用いてお酒のラベルを撮影し画像を制御装置１２に送信すれば（Ｓ５４）、お酒が決定されるため、そのお酒が所持するお酒としてユーザ情報保存用メモリ１９に登録される（Ｓ５６）。その後、追加入力する場合は（Ｓ５７のＹｅｓ）、再度お酒の決定操作が行うことが可能である。
【００３７】
図６は、特定のお酒に対して、利用者が所持しているかどうかを確認する動作の流れを示したものである。
【００３８】
まず、本システム利用者は、携帯端末装置１１の操作部により開始操作（Ｓ６１）を行うと、画像入力かお酒の名称で入力するかが選択可能になる（Ｓ６２）。名称入力の場合、名称を文字列で入力すると（Ｓ６３）、その名称のお酒が、利用者が図５の動作で登録したお酒に含まれるか検索が行われる（Ｓ６５）。一方、画像入力の場合は、利用者は携帯端末装置１１のカメラ機能を用いてお酒のラベルを撮影し画像を制御装置１２に送信すれば（Ｓ６４）、お酒が決定されるため、そのお酒が図５の動作で登録したお酒に含まれるか検索が行われる（Ｓ６５）。その後、所持するか否かの表示が行われる（Ｓ６６）。
【００３９】
図７は、利用者が所持するお酒と追加したお酒で作成可能なレシピを検索する動作の流れを示したものである。
【００４０】
まず、本システム利用者は、携帯端末装置１１の操作部により開始操作（Ｓ７１）を行うと、画像入力かお酒の名称で入力するかが選択可能になる（Ｓ７２）。名称入力の場合、名称を文字列で入力すると（Ｓ７３）、その名称が含まれるお酒が検索され一覧が表示されるため（Ｓ７５）、その一覧から利用者は１種のお酒を決定する（Ｓ７６）。一方、画像入力の場合は、利用者は携帯端末装置１１のカメラ機能を用いてお酒のラベルを撮影し画像を制御装置１２に送信すれば（Ｓ７４）、お酒が決定される（Ｓ７６）。その後、追加入力する場合は（Ｓ７７のＹｅｓ）、再度お酒の決定操作が行われる。お酒追加が完了すれば、入力されたお酒群と図５の動作で登録した少なくとも１つのお酒とで作成可能な混合酒（カクテル）のレシピが検索され（Ｓ７８）、一覧として表示される（Ｓ７９）。
【００４１】
このように、本実施例のレシピ情報提供システムによれば、携帯端末装置１１を用いてお酒の名称の文字列を入力したり、カメラ機能を用いてお酒のラベルを撮影したりして、文字列やラベル画像を制御装置１２に送信すると、制御装置１２は、予め記憶したデータベースを参照してお酒を検索し、検索したお酒に関する情報（例えば、検索したお酒を含む混合酒のレシピや、検索したお酒と利用者が所持するお酒とを含む混合酒のレシピなど）を検索して携帯端末装置１１に送信するため、利用者が必要とする情報を的確に提供することができる。
【００４２】
なお、本発明は上記実施例に限定されるものではなく、本発明の趣旨を逸脱しない限りにおいて、その構成や制御は適宜変更可能である。
【００４３】
例えば、本実施例では、店頭での携帯端末装置１１を使用しての利用を想定しているが、店頭で利用しない場合は、パーソナルコンピュータ等のネットワークに接続できる情報端末装置であれば携帯端末装置でなくても利用可能である。
【００４４】
また、上記実施例ではお酒の名称の入力による利用とラベル画像の入力による利用のみを記載したが、その他にも音声入力による利用にも適用可能である。
【００４５】
また、本発明はカクテルのレシピを対象としているが、カメラで撮影することで一意に特定できる形状を持つ材料を対象とすれば、特にカクテルのレシピに限定されない。
【産業上の利用可能性】
【００４６】
本発明は、携帯電話機、ＰＨＳ、ＰＤＡ等の携帯端末装置であって、ネットワーク経由で情報を取得できる装置及びシステム並びに方法に利用可能である。
【符号の説明】
【００４７】
１１  携帯端末装置
１２  制御装置
１３  情報表示ＵＩ
１４  情報検索制御部
１５  画像判定部
１６  ラベル画像保存用メモリ
１７  レシピ保存用メモリ
１８  お酒情報保存用メモリ
１９  ユーザ情報保存用メモリ
２０  情報登録ＵＩ
２１  コンピュータ装置
【図１】
2011028505.tif 000003
【図２】
2011028505.tif 000004
【図３】
2011028505.tif 000005
【図４】
2011028505.tif 000006
【図５】
2011028505.tif 000007
【図６】
2011028505.tif 000008
【図７】
2011028505.tif 000009